(57)【要約】  本発明は、ランプ及びランプホルダのアセンブリに関する。また、本発明は、ランプ及びランプホルダのアセンブリで使用するランプに関する。さらに、本発明は、ランプ及びランプホルダのアセンブリで使用するランプホルダに関する。ランプ２及びランプホルダ３のアセンブリは、前記ランプが、ランプベース５により一方の端部で封止される少なくとも１つの光透過型容器４を有し、前記ランプベース５は、前記容器４に接続された複数の電流供給導体６のための収容空間を囲む実質的に環状のフランジを備え、前記環状のフランジは、結合手段７を備え、前記ランプホルダ３は、対抗結合手段が備えられる少なくとも１つの突起部１０と、前記ランプ２の前記電流供給導体６に電気的に接続される電気接触部１３とを有し、前記ランプホルダ３の前記突起部１０は、前記ランプの前記結合手段７が前記ランプ２及び前記ランプホルダ３の予め規定された相互の方向において前記ランプホルダ３の前記対抗結合手段１４と協働することを可能にするために、前記ランプ２の前記環状のフランジと係合する。
2010518572.tif 000002
【特許請求の範囲】
【請求項１】
ランプ及びランプホルダのアセンブリであって、
前記ランプが、ランプベースにより一方の端部で封止される少なくとも１つの光透過型容器を有し、
前記ランプベースは、前記容器に接続された複数の電流供給導体のための収容空間を囲む実質的に環状のフランジを備え、
前記環状のフランジは、結合手段を備え、
前記ランプホルダは、対抗結合手段を備えた少なくとも１つの突起部と、前記ランプの前記電流供給導体に電気的に接続される電気接触部とを有し、
前記ランプホルダの前記突起部は、前記ランプの前記結合手段が前記ランプ及び前記ランプホルダの予め規定された相互の方向において前記ランプホルダの前記対抗結合手段と協働することを可能にするために、前記ランプの前記環状のフランジと係合する、アセンブリ。
【請求項２】
前記結合手段及び前記対抗結合手段は、前記ランプを前記ランプの長手軸に沿って前記ランプホルダに対して平行移動させ、続いて前記ランプを軸方向に回転させることにより、前記ランプと前記ランプホルダとの間の結合を実現することを特徴とする、請求項１に記載のアセンブリ。
【請求項３】
前記結合手段及び前記対抗結合手段は、少なくとも１つの差し込み式フィッティングを一緒に形成することを特徴とする、請求項２に記載のアセンブリ。
【請求項４】
前記結合手段及び前記対抗結合手段は、複数の差し込み式フィッティング、特に少なくとも５つの差し込み式フィッティングを一緒に形成することを特徴とする、請求項３に記載のアセンブリ。
【請求項５】
前記結合手段は、少なくとも部分的に不規則な結合手段のパターンに従って前記環状のフランジに適用される複数の結合要素を有することを特徴とする、請求項１〜４のうちいずれか一項に記載のアセンブリ。
【請求項６】
前記対抗結合手段は、前記結合手段のパターンに対応する対抗結合手段のパターンに従って前記突起部に適用される複数の対抗結合要素を有することを特徴とする、請求項５に記載のアセンブリ。
【請求項７】
前記対抗結合手段が複数のカムを有し、
前記結合手段が前記カムを受けるための複数のスロットを有することを特徴とする、請求項１〜６のうちいずれか一項に記載のアセンブリ。
【請求項８】
前記突起部は、前記環状のフランジを少なくとも部分的に囲む突起カラーを有することを特徴とする、請求項１〜７のうちいずれか一項に記載のアセンブリ。
【請求項９】
前記ランプの前記環状のフランジの外表面は、前記ランプホルダの前記突起部の内表面と係合することを特徴とする、請求項８に記載のアセンブリ。
【請求項１０】
前記環状のフランジにより囲まれた前記収容空間は、前記突起部を少なくとも部分的に受けることを特徴とする、請求項１〜９のうちいずれか一項に記載のアセンブリ。
【請求項１１】
前記ランプの前記環状のフランジの内表面は、前記ランプホルダの前記突起部の外表面と係合することを特徴とする、請求項１０に記載のアセンブリ。
【請求項１２】
前記環状のフランジは、前記ランプベースに解放可能に結合されることを特徴とする、請求項１〜１１のうちいずれか一項に記載のアセンブリ。
【請求項１３】
前記環状のフランジは、少なくとも１つのランプ特性に関連した情報を表示することを特徴とする、請求項１〜１２のうちいずれか一項に記載のアセンブリ。
【請求項１４】
前記ランプは、放電ランプ、特に電球型蛍光ランプ（ＣＦＬ）であることを特徴とする、請求項１〜１３のうちいずれか一項に記載のアセンブリ。
【請求項１５】
請求項１〜１４のうちいずれか一項に記載のアセンブリで使用するランプであって、
当該ランプが、ランプベースにより一端部で封止される少なくとも１つの光透過型容器を有し、
前記ランプベースは、前記容器に接続された複数の電流供給導体のための収容空間を囲む実質的に環状のフランジを備え、
前記環状のフランジは、結合手段を備え、
当該ランプの前記環状のフランジは、当該ランプの前記結合手段が当該ランプ及びランプホルダの予め規定された相互の方向において前記ランプホルダの対抗結合手段と協働することを可能にするために、前記ランプホルダの突起部と係合する、ランプ。
【請求項１６】
請求項１〜１４のうちいずれか一項に記載のアセンブリで使用するランプホルダであって、
当該ランプホルダが、対抗結合手段が備えられた少なくとも１つの突起部と、ランプの電流供給導体に電気的に接続された接触部とを有し、
当該ランプホルダの前記突起部は、前記ランプの結合手段が前記ランプ及び当該ランプホルダの予め規定された相互の方向において当該ランプホルダの前記対抗結合手段と協働することを可能にするために、前記ランプの環状のフランジと係合する、ランプホルダ。
【発明の詳細な説明】
【技術分野】
【０００１】
本発明は、ランプ及びランプホルダのアセンブリに関する。また、本発明は、斯様なアセンブリで用いるランプに関する。さらに、本発明は、斯様なアセンブリで用いるランプホルダに関する。
【背景技術】
【０００２】
蛍光照明技術は、５０年以上の間利用されており、白熱ランプと比較して同じルーメン（lumen）を生成するための４〜６倍の高い効率及びこれらの非常に大きな省エネルギのために、白熱電球としても知られた従来の電球に徐々に取って代わってきた。電球型蛍光ランプ（ＣＦＬ；Compact fluorescent lamp）は、一般的に、ランプをランプホルダに接続するインタフェースとして機能する規格化されたランプベースを有する。既存のランプベースは、比較的大きく、特に比較的長く、これは、接続されたランプを取り囲む照明器具の光学的効率に悪影響をもたらす。さらに、既知のランプベースが矩形断面を有するので、２つの接続可能性がユーザに対して利用可能であるのに、ランプホルダに対するランプの接続は、一般に、単にランプホルダに対してランプの単一の方向だけが、ランプホルダに対するランプの、特にランプ及びランプホルダの双方の電極の適切な位置をもたらすので一般に複雑になるだろう。それ故、ランプ、特にＣＦＬのランプホルダへの適切な取り付けを簡素化する必要がある。
【発明の概要】
【発明が解決しようとする課題】
【０００３】
本発明の目的は、ランプ及びランプホルダが比較的使い勝手のよい態様で互いに接続され得る、ランプ及びランプホルダの改良されたアセンブリを提供することにある。
【課題を解決するための手段】
【０００４】
この目的は、前記ランプが、ランプベースにより一方の端部で封止される少なくとも１つの光透過型容器を有し、前記ランプベースは、前記容器に接続された複数の電流供給導体のための収容空間を囲む実質的に環状のフランジを備え、前記環状のフランジは、結合手段を備え、前記ランプホルダは、対抗結合（counter-coupling）手段を備えた少なくとも１つの突起部と、前記ランプの前記電流供給導体に電気的に接続される電気接触部とを有し、前記ランプホルダの前記突起部は、前記ランプの前記結合手段が前記ランプ及び前記ランプホルダの予め規定された相互の方向において前記ランプホルダの前記対抗結合手段と協働することを可能にするために、前記ランプの前記環状のフランジと係合する、冒頭によるアセンブリを提供することにより達成される。環状円筒（circularly-cylindrical）形状（リング形状）を持つ環状のフランジを適用することにより、環状のフランジ及び突起部の回転スライド係合が、ランプホルダに対する予め規定された方向にランプを配置することを可能にし、これは、多くの態様においてランプの取り付けを促進するだろう。環状のフランジの内表面及び／又は外表面は、ランプ及びランプホルダの相互移動（回転）の間、突起部の少なくとも一部のためのスライド表面として機能するだろう。突起部に対する環状のフランジの係合の間、結合手段及び対向結合手段が協働することができ、ランプホルダに対するランプの適切な結合をもたらすようなランプホルダに対するランプの（少なくとも１つの）予め決められた方向が得られるまで、ランプは、その長手軸に沿って回転され得る。それ故、ランプホルダの突起部に対抗して、ランプベース、特にフランジを単純に配置することにより、及び、（ランプが予め規定された方向に依然として配置されなかった場合に）その後ランプを予め規定された方向に軸方向に回転させることにより、ランプとランプホルダとの間の接続が確立され得る。ランプベースにフランジが備えられ、突起部が比較的コンパクトな態様で構成され得るので、アセンブリの比較的コンパクトな構成を実現することができ、これは、ランプホルダが組み込まれ得る（少ない開口の）照明器具の光学的効率を強化するだろう。好ましくは、電流供給導体の露出部分は、電流供給導体の損傷を防止するか又は少なくとも影響を弱めるために、フランジにより規定された収容空間に完全に配置される。
【０００５】
好ましい実施形態において、結合手段及び対抗結合手段は、ランプの長手軸に沿ってランプホルダに対してランプを（概して直線的に）平行移動させ、続いてランプを軸方向に回転させることにより、ランプとランプホルダとの間の結合を実現する。この態様において、ランプとランプホルダとの間の頑丈で耐久性のある接続が、比較的効率的な態様で確立され得る。更に特に、結合手段及び対抗結合手段は、並進及び二次的回転動作が組み込まれた少なくとも１つの差し込み式フィッティング（bayonet fitting）を一緒に形成する。ランプとランプホルダとの間の接続の安定性を向上させるために、結合手段及び対抗結合手段は、好ましくは、複数の差し込み式フィッティング、特に少なくとも５つの差し込み式フィッティングを一緒に形成する。５つ（又はそれ以上）の差し込み式フィッティングのアプリケーションは、ランプの予め規定された方向を位置決めすることを促進し、ランプとランプホルダとの間の比較的耐久性のある接続を比較的容易にもたらし、その結果、電流供給導体と電気的接触部との間の信頼性のある接触が確保され得る。
【０００６】
結合手段は、好ましくは、少なくとも部分的に不規則な結合手段のパターンに従って環状のフランジに適用される複数の結合要素を有する。それ故、結合要素は、ランプがランプホルダに結合され得るようなランプの方向を規定するために、環状のフランジに渡って不規則に分布される。従って、結合要素のポジショニングパターンは、事実上、どのようにランプをランプホルダに接続するかを規定する位置決め手段を提供する。対抗結合手段は、好ましくは、結合手段のパターンに対応する対抗結合手段のパターンに従って突起部に適用される複数の対抗結合要素を有する。結合要素の数と対抗結合要素の数とは、異なってもよいが、好ましくは同じである。特に好ましい実施形態において、対抗結合手段が複数のカム（又は突起）を有し、結合手段が前記カムを受けるための複数のスロットを有する。スロット及びカムを適用することにより、差し込み式フィッティングが容易に実現され得る。しかしながら、例えばスナップ式フィッティングのような、差し込み式フィッティング以外の種々のフィッティングも、ランプをランプホルダに接続するために用いられてもよい。代替及び対称的な実施形態においては、結合手段が複数のカム（又は突起）を有し、対抗結合手段が前記カムを受けるための複数のスロットを有する。
【０００７】
突起部は、概して、ランプの取り付けの間にランプを軸回転する場合に環状のフランジとスライド接触するだろう。突起部の形状及び寸法は、非常に自由であり得る。好ましくは、突起部は、ランプの取り付けの後に環状のフランジを少なくとも部分的に囲む突起（カップ形状の）カラー（collar）を有する。この実施形態によれば、ランプホルダの突起カラーは、環状のフランジを受け、よってシールドするだろう。実施形態によれば、ランプとランプホルダとの間の接続を確立し得るために、フランジの結合手段は、概して、フランジの外表面に配置され、その一方で、突起カラーの対抗結合手段は、概して、カラーの内表面に配置されるだろう。他の実施形態において、突起部は、（場合によっては突起カラーに加えて）中心突起部を有し、これは、好ましくは、環状のフランジにより規定された収容空間が中心突起部を少なくとも部分的に受けるような、円筒状に形成される。この後者の実施形態によれば、ランプの環状のフランジの内表面は、好ましくは、ランプホルダの突起部の外表面と係合する。より好ましくは、環状のフランジの内表面には結合手段が備えられる一方で、中心突起部の外表面には対抗結合手段が備えられる。
【０００８】
環状のフランジは、ランプベースと一体化されてもよい。しかしながら、好ましい実施形態において、環状のフランジは、ランプベースに結合される、より好ましくは、解放可能に結合される別個の要素により形成される。別個の環状のフランジを適用する利点は、好ましくは、ランプを識別できるフランジがランプベースに適用された後に標準的及び単純なランプベースが製造され得る結果として、環状のフランジが少なくとも１つのランプ特性に関連した情報を表示することであり、これは、概して、論理記号学的及び経済的の双方の観点から有利であるだろう。ランプ特性は、フランジの色の区別により示され得る。１又はそれ以上のランプ特性を示すために、フランジ上に特性（技術）情報を表示することも可能である。
【０００９】
本発明によるアセンブリにおいて、複数タイプのランプが適用されてもよい。しかしながら、好ましくは、放電ランプ、より特に、電球型蛍光ランプ（ＣＦＬ）が、本発明によるアセンブリに適用される。ＣＦＬの利点は概して既知である。
【００１０】
本発明は、本発明によるアセンブリで用いるランプにも関し、前記ランプが、ランプベースにより（単）一の端部で封止される少なくとも１つの光透過型容器を有し、前記ランプベースは、前記容器に接続された複数の電流供給導体のための収容空間を囲む実質的に環状のフランジを備え、前記環状のフランジは、結合手段を備え、前記ランプの前記環状のフランジは、前記ランプの前記結合手段が前記ランプ及びランプホルダの予め規定された相互の方向において前記ランプホルダの対抗結合手段と協働することを可能にするために、前記ランプホルダの突起部と係合する。
【００１１】
本発明は、本発明によるアセンブリで用いるランプホルダにも関し、前記ランプホルダが、対抗結合手段を備えた少なくとも１つの突起部と、ランプの電流供給導体に電気的に接続された接触部とを有し、前記ランプホルダの前記突起部は、前記ランプの結合手段が前記ランプ及び前記ランプホルダの予め規定された相互の方向において前記ランプホルダの前記対抗結合手段と協働することを可能にするために、前記ランプの環状のフランジと係合する。ランプ及びランプホルダの利点及び好ましい実施形態は、包括的な態様で既に上記で述べられている。
【００１２】
本発明は、以下の非限定的な例により示される。
【図面の簡単な説明】
【００１３】
【図１】本発明によるランプ及びランプホルダのアセンブリの第１実施形態の斜視図を示している。
【図２】本発明によるランプ及びランプホルダのアセンブリの第２実施形態の斜視図を示している。
【図３Ａ】既知のランプと本発明によるランプとを比較する相対的な略図を示している。
【図３Ｂ】既知のランプと本発明によるランプとを比較する相対的な略図を示している。
【図３Ｃ】既知のランプと本発明によるランプとを比較する相対的な略図を示している。
【発明を実施するための形態】
【００１４】
図１は、本発明によるランプ２及びランプホルダ３のアセンブリ１の第１実施形態の斜視図を示している。この説明のための実施形態において、ランプ２は、放電容器４を有する電球型蛍光ランプ（ＣＦＬ）である。容器４は、ランプベース５により一端で封止される。ランプベース５は、４つの電流供給導体６ａ，６ｂ，６ｃ，６ｄを有する。ランプ２は、更に、結合リング７を有し、これは、電流供給導体６ａ，６ｂ，６ｃ，６ｄが、リング７内に規定された収容空間８内に配置されるように、ランプベース５に取り付けられる。リング７は、ランプのタイプ及び／又はランプ２の消費電力を示す特定の色を有し得る。リング７の外表面は、複数の角度スロット（angular slot）９ａ，９ｂ，９ｃ，９ｄを備える。ランプ２は、ランプホルダ３と接続される。ランプホルダ３は、中心突起部１０と、中心突起部１０を取り囲む突起カラー１１とを有する。中心突起部１０と突起カラー１１との間において、受け空間１２が、ランプ２のリング７を受けるために収容されている。中心突起部１０は、ランプ２をランプホルダ３と電気的に接続するための接続スロット１３ａ，１３ｂ，１３ｃ，１３ｄを備える。突起カラー１１は、スロット９ａ，９ｂ，９ｃ，９ｄに挿入され得る複数のカム１４ａ，１４ｂ，１４ｃ，１４ｄを備える。従って、アセンブリ１は、複数の差し込み式フィッティングを有する。ランプ２の取り付けの場合に、ランプ２は、ランプホルダ３に対抗して配置され、これにより、特に、リング７は、カム１４ａ，１４ｂ，１４ｃ，１４ｄと係合し、場合によっては中心突起部１０及び／又は突起カラー１１とも係合する。ランプホルダ３に対してランプ２を軸方向に回転させることにより、ランプ２は、予め規定された方向に動かされ、ランプホルダ３のカム１４ａ，１４ｂ，１４ｃ，１４ｄは、ランプ２とランプホルダ３との間の頑丈で安定した接続を確立するために、スロット９ａ，９ｂ，９ｃ，９ｄに挿入され得る。オプション的に、中心突起部１０は、正しいタイプのランプ２が正しいタイプのランプホルダ３に挿入されることを保証するために、リング７の部分を形成する対抗鍵（図示省略）と協働するように適合された機械的なランプ鍵１５を備える。
【００１５】
図２は、本発明によるランプ１７及びランプホルダ１８のアセンブリ１６の第２実施形態の斜視図を示している。ランプ１７は、光透過型容器１９及びランプベース２０を有する。ランプベース２０は、接続リング２２が当てはまる受け空間２１を備え、接続リング２２の外表面がランプベース２０の内表面に取り付けられる。接続リング２２の内側は、突出結合要素２３を備える。ランプホルダ１８は、突起構造部２４を有し、これは、ランプ１７の受け空間２１によってタイトフィットに受けられるように適合される。突起構造部２４は、ランプ１７とランプホルダ１８との間の複数の差し込み式フィッティングを同時に実現するために、突出結合要素２３を受けるために適合された複数のかぎ状スロット２５を備える。
【００１６】
図３ａ〜３ｃは、既知のランプ２６と本発明よるランプ２７とを比較する相対的な略図を示している。図３ａは、本発明によるランプ２７の使い易さを示している。ランプ２７は、ランプ２７の任意の方向においてランプホルダ２８と最初に接触し、その後、予め規定された接続方向を見つけるためにランプ２７が回転され得る。既知のランプ２６は、４つの態様でランプホルダ２９に挿入され得る一方で、１つの方向だけがランプホルダ２９に対するランプ２６の適切な接続をもたらすだろう。図３ｂは、ランプ２７のランプベース３０が、既知のランプ２６の比較的大きなランプベース３１と比較して、比較的コンパクトであることを示している。さらに、図３ｃにおいて、本発明によるランプ２７のランプベース３０が、従来から知られたランプ２６のランプベース３１と比較して、比較的簡素な構造を有することが示されている。従って、改良されたランプ２７のランプベース３０の製造は、比較的単純な金型を要求する一方で、既知のランプベース３１は、より複雑な金型及びそれ故に比較的難しい生産過程を要求する。ランプ２７をランプホルダ２８に結合するように適合され、改良されたランプベース３０に取り付けられたリング３２は、概して別個に製造されるだろう。
【００１７】
上述した実施形態は、本発明を限定するよりむしろ例示であり、当業者は、特許請求の範囲から逸脱することなく、多くの代替実施形態を設計することができることに留意すべきである。特許請求の範囲において、括弧内の如何なる参照符号も、特許請求の範囲を限定するものとして考慮されるべきではない。"有する"という用語の使用及びその活用は、特許請求の範囲に記載されたもの以外の要素又はステップの存在を除外するものではない。要素の単数表記は、斯様な要素の複数の存在を除外するものではない。特定の手段が相互に異なる従属項に記載されるという単なる事実は、これらの手段の組み合わせが有利に用いられ得ないことを示すものではない。
【図１】
2010518572.tif 000003
【図２】
2010518572.tif 000004
【図３Ａ】
2010518572.tif 000005
【図３Ｂ】
2010518572.tif 000006
【図３Ｃ】
2010518572.tif 000007
【国際調査報告】
2010518572.tif 000008
2010518572.tif 000009
2010518572.tif 000010